(57)【要約】【課題】不使用時には小さくして嵩張らず、使用時には大きく皿として使用でき、しかも洗浄を不要とする。【解決手段】３つ以上の短冊状部材１００と、この短冊状部材１００の基端側１１０を回転可能に連結する連結具２００と、この連結具２００を中心として放射状に展開した短冊状部材１００に被せられるフィルム状の被覆部材としてのラッピングフィルム３００と、前記短冊状部材１００の先端側１２０を連結するワイヤーとを備えており、前記ワイヤー４００は、放射状に展開した短冊状部材１００の間隔を等しくすべく短冊状部材１００の間の長さが等しく設定されている。【選択図】図１
2020185355.tif 000002
【特許請求の範囲】
【請求項１】
３つ以上の短冊状部材と、この短冊状部材の基端側を回転可能に連結する連結具と、この連結具を中心として放射状に展開した短冊状部材に被せられるフィルム状の被覆部材と、前記短冊状部材の端側を連結するワイヤーとを具備しており、前記ワイヤーは、放射状に展開した短冊状部材の間隔を等しくすべく短冊状部材の間の長さが等しく設定されていることを特徴とする折り畳み皿。
【請求項２】
放射状に展開された短冊状部材の先端側で被覆部材を短冊状部材に固定する固定手段を具備していることを特徴とする請求項１記載の折り畳み皿。
【請求項３】
前記固定手段は、クリップであることを特徴とする請求項２記載の折り畳み皿。
【請求項４】
前記固定手段は、短冊状部材の先端側に形成された切込みであることを特徴とする請求項２記載の折り畳み皿。
【請求項５】
前記固定手段は、短冊状部材の先端側に形成された折曲可能片であることを特徴とする請求項２折り畳み皿。
【請求項６】
前記被覆部材は、ラッピングフィルムであることを特徴とする請求項１、２、３、４又は５記載の折り畳み皿。
【発明の詳細な説明】
【技術分野】
【０００１】  本発明は、不使用時にはコンパクトになり、かつゴミが少なくなる折り畳み皿に関する。
【背景技術】
【０００２】  従来の折り畳み皿は、『かなめに多数の扇状皿片の基端部を回動自在に重ねて軸着し、この扇状皿片の先端部を梢折曲げるとともに各扇状皿片の前記軸着部の上方にそれぞれ１側に段部を有する長溝を穿設し、この長溝にこの扇状皿片と重なる扇状皿片の段部を摺動自在に嵌入させてそれぞれの扇状皿片を重ね合わせ、皿体を遮蔽する２枚の扇状皿片の１方適所に爪片を設け他方適所にその爪片を掛けて止める溝を穿設し、各扇状皿片の数枚組毎に適所に脚体を設けて成る折畳み用皿』がある（実開昭５０−１４３８６９号公報参照）。【０００３】
【特許文献１】実開昭５０−１４３８６９号公報
【発明の開示】
【発明が解決しようとする課題】
【０００４】  しかしなから、この従来の折畳み用皿は、不使用時には小さく折り畳めるが、使用後には通常の皿と同様に洗浄が必要になるという問題点がある。
震災時の避難生活では水は貴重品であるため、食器の洗浄は極力少なくすることが望ましいが、洗浄しないと不衛生であるため、少ない水で洗浄を行っているのが実状である。
食器の洗浄を回避するために、通常の皿を使用時にはラッピングフィルムで覆い、使用後には汚れたラッピングフィルムを廃棄するという手法がある。【０００５】  本発明は、上記事情に鑑みて創案されたもので、不使用時には小さくなり、かつ使用後に洗浄の必要がない折り畳み皿を提供することを目的としている。
【課題を解決するための手段】
【０００６】  本発明に係る折り畳み皿は、３つ以上の短冊状部材と、この短冊状部材の基端側を回転可能に連結する連結具と、この連結具を中心として放射状に展開した短冊状部材に被せられるフィルム状の被覆部材と、前記短冊状部材の先端側を連結するワイヤーとを備えており、前記ワイヤーは、放射状に展開した短冊状部材の間隔を等しくすべく短冊状部材の間の長さが等しく設定されている。【０００７】  放射状に展開された短冊状部材の先端側で被覆部材を短冊状部材に固定する固定手段を有している。【０００８】  前記固定手段は、クリップ、短冊状部材の先端側に形成された切込み、短冊状部材の先端側に形成された折曲可能片がある。【０００９】  なお、被覆部材としては、ラッピングフィルムが使用できる。
【発明の効果】
【００１０】  本発明に係る折り畳み皿は、小さく折り畳める短冊状部材と、展開した短冊状部材の上に被せる被覆部材とを有しているので、不使用時には小さくして嵩張らず、使用時には大きく皿として使用できるというメリットがある。
しかも、使用後の被覆部材は廃棄することができるので、洗浄を行う必要がない。
【図面の簡単な説明】
【００１１】
【図１】  本発明の実施の形態に係る折り畳み皿の概略的平面図である。
【図２】  本発明の実施の形態に係る折り畳み皿の概略的側面図である。
【図３】  本発明の実施の形態に係る折り畳み皿を構成する短冊状部材が展開した状態の概略的平面図である。
【図４】  本発明の実施の形態に係る折り畳み皿を構成する短冊状部材を折り畳んだ状態の概略的側面図である。
【図５】  本発明の実施の形態に係る折り畳み皿を構成する連結具を説明する概略的断面図である。
【図６】  本発明の他の実施の形態に係る折り畳み皿の図面であって、同図（Ａ）は固定手段としての切込みを説明する概略的斜視図、同図（Ｂ）は固定手段としての折曲可能片を説明する概略的斜視図である。
【発明を実施するための形態】
【００１２】  本発明の実施の形態に係る折り畳み皿１０００は、３つ以上の短冊状部材１００と、この短冊状部材１００の基端側１１０を回転可能に連結する連結具２００と、この連結具２００を中心として放射状に展開した短冊状部材１００に被せられるフィルム状の被覆部材としてのラッピングフィルム３００と、前記短冊状部材１００の先端側１２０を連結するワイヤー４００とを備えており、前記ワイヤー４００は、放射状に展開した短冊状部材１００の間隔を等しくすべく短冊状部材１００の間の長さが等しく設定されており、放射状に展開された短冊状部材１００の先端側１２０でラッピングフィルム３００を短冊状部材１００に固定する固定手段としてのクリップ５００を有している。
【００１３】  なお、図１〜図６に記載された各部材の寸法等は作図の都合上、誇張されて描かれていることがあり、実際の折り畳み皿１０００の各部の寸法を示したものでないことはいうまでもない。
【００１４】  まず、短冊状部材１００としては、３つ以上が必要であるが、図１等では８つの短冊状部材１００を使用している。
この短冊状部材１００は、合成樹脂製であり、ある程度の荷重を加えても変形することがないようになっている。
かかる短冊状部材１００の先端側１２０は基端側１１０よりも一方側（使用時の上側）に折曲形成されている。これは、皿として使用した場合に、周縁部が盛り上がり全体として凹状にするためである。
かかる短冊状部材１００の基端側１１０には後述する連結具２００を構成するボルト２１０の軸体２１１が挿入される貫通孔１１１が開設されている。
また、この短冊状部材１００の先端側１２０には、小孔１２１が開設されている。
【００１５】  前記連結具２００は、図５に示すように、軸体２１１を有するボルト２１０と、このボルト２１０に対応するナット２２０から構成されている。すべての短冊状部材１００を貫通孔１１１を一致させて重ね合わせた状態で、貫通孔１１１にボルト２１０の軸体２１１を貫通させてナット２２０を締めつけることですべての短冊状部材１００を回転可能に連結するのである。
【００１６】  前記ワイヤー４００は、連結具２００を中心として折り畳んだ状態で上下位置にある短冊状部材１００（展開した状態では隣り合う短冊状部材１００）の先端側１２０の小孔１２１の間に掛け渡されている。ワイヤー４００は、折り畳んだ状態での最上段の短冊状部材１１０と上から二段目の短冊状部材１００、上から二段目の短冊状部材１００と上から三段目の短冊状部材１００というように掛け渡される。
従って、最上段の短冊状部材１００は上から二段目の短冊状部材１００との間のみでワイヤ４００が掛け渡され、最下段の短冊状部材１００は下から二段目の短冊状部材１００との間のみでワイヤー４００が掛け渡されることになる。
従って、８つの短冊状部材１００を使用する場合には、７本のワイヤー４００が必要になる。
なお、各ワイヤー４００の長さは等しく設定されている。
このワイヤー４００には、丈夫な合成樹脂製のもの、例えば釣り糸に使用される・ナイロン、フロロカーボン、ポリエチレン等から構成される。
【００１７】  前記ラッピングフィルム３００は、耐水性や耐熱性がある一般家庭で使用される食品用ラップピングフィルムが望ましい。例えば、ポリエチレンやポリエチレンテレフタレート製のものである。
なお、この種のラッピングフィルム３００は透明なものが多いので、図１ではラッピングフィルム３００を通して下側の短冊状部材１００、連結具２００やワイヤー４００が見えている。
【００１８】  固定する固定手段としてのクリップ５００は、針金を長円状に巻回したもの、すなわち一般に使用されるゼムクリップと称されるものが適している。
【００１９】  上述した部材から構成される折り畳み皿１０００の使用手順について説明する。
まず、連結具２００を中心として短冊状部材１００を放射状に展開する。この際、各短冊状部材１００は隣接する短冊状部材１００と長さの等しいワイヤー４００で連結されているため、各短冊状部材１００の間隔は等しくなる。
短冊状部材１００が放射状に展開すると、折り畳み皿１０００の外縁に相当する部分は、短冊状部材１００の先端側１２０及びワイヤー４００となる。
【００２０】  放射状に展開した短冊状部材１００の上にラッピングフィルム３００を上側から被せる。ラッピングフィルム３００は、縁部が各短冊状部材１００の先端側１２０よりも外方になる程度の大きさのものを使用する。１枚のラッピングフィルム３００で全体が覆えない場合には、複数枚のラッピングフィルム３００を使用する。
折り畳み皿１０００の外縁に相当する短冊状部材１００の先端側１２０とワイヤー４００の部分からラッピングフィルム３００の縁部を下側に折り込む。さらに、各短冊状部材１００の先端側１２０でクリップ５００を用いてラッピングフィルム３００をより強固に固定する。
なお、各短冊状部材１００の間の隙間において、ラッピングフィルム３００同士が上下から密着するので、ラッピングフィルム３００はより強固に短冊状部材１００に固定されることになる。
【００２１】  この状態で皿として使用することができる。短冊状部材１００の先端側１２０は上方向に折曲形成されているので、全体として凹状になるためスープ等の液状のものであっても保持することができる。
【００２２】  皿としての使用が終わったならば、クリップ５００を取り外した上で、ラッピングフィルム３００を短冊状部材１００から剥がしとる。短冊状部材１００は折り畳む。剥がしたラッピングフィルム３００は、廃棄物として処理する。
汚れたラッピングフィルム３００は廃棄すればよく、短冊状部材１００等はラッピングフィルム３００で覆われていたので、短冊状部材１００は洗浄する必要がない。
【００２３】  なお、上述した実施の形態では、固定手段はクリップ３００であるとしたが、クリップ３００のように短冊状部材１００とは別部材ではなく、図６（Ａ）に示すように、短冊状部材１００の先端に形成された略Ｖ字形状の切込み１２２であってもよい。この切込み１２２にラッピングフィルム３００の縁部を挟み込むことでラッピングフィルム３００を展開した
短冊状部材１００に固定するようにするのである。
なお、切込み１２２はＶ字形状ではなく、単に切れ目を入れたものやＵ字形状等の他の形状であってもよいことはいうまでもない。
【００２４】  また、図６（Ｂ）に示すように、短冊状部材１００の先端側をフレキシブルに折曲可能な折曲可能片１２３として形成しておき、この折曲可能片１２３を図６（Ｂ）に示す矢印Ｂ方向に折り込むことでラッピングフィルム３００を展開した短冊状部材１００に固定するようにしてもよい。
なお、図６（Ｂ）においては、ワイヤー４００を連結するための小孔１２１は、折曲された折曲可能片１２３に隠れて見えなくなっている。
なお、図６（Ａ）及び図６（Ｂ）では、ラッピングフィルム３００の記載は省略している。
【００２５】  このように短冊状部材１００と別体の固定手段ではない固定手段とすると、クリップ３００のような別体の構成部材を準備する必要がないというメリットがある。
【００２６】  また、上述した実施の形態では、短冊状部材１００は８つあるとしたが、３つ以上であればよい。
さらに、上述した実施の形態では、被覆部材としてラッピングフィルム３００を使用したが、アルミホイルや通常のビニール袋を転用したものであってもよい。
【符号の説明】
【００２７】１００    短冊状部材
１１０    基端側
１２０    先端側
２００    連結具
３００    ラッピングフィルム（被覆部材）
４００    ワイヤー
【図１】
2020185355.tif 000003
【図２】
2020185355.tif 000004
【図３】
2020185355.tif 000005
【図４】
2020185355.tif 000006
【図５】
2020185355.tif 000007
【図６】
2020185355.tif 000008
【手続補正書】
【提出日】令和2年1月28日(2020.1.28)
【手続補正１】
【補正対象書類名】特許請求の範囲
【補正対象項目名】全文
【補正方法】変更
【補正の内容】
【特許請求の範囲】
【請求項１】
３つ以上の短冊状部材と、この短冊状部材の基端側を回転可能に連結する連結具と、この連結具を中心として隙間を空けた状態で放射状に展開した短冊状部材に被せられる被覆部材と、前記短冊状部材の先端側を連結するワイヤーとを具備しており、前記ワイヤーは、放射状に展開した短冊状部材の間隔を等しくすべく短冊状部材の間の長さが等しく設定されていることを特徴とする折り畳み皿。
【請求項２】
放射状に展開された短冊状部材の先端側で被覆部材を短冊状部材に固定する固定手段を具備していることを特徴とする請求項１記載の折り畳み皿。
【請求項３】
前記固定手段は、クリップであることを特徴とする請求項２記載の折り畳み皿。
【請求項４】
前記固定手段は、短冊状部材の先端側に形成された切込みであることを特徴とする請求項２記載の折り畳み皿。
【請求項５】
前記固定手段は、短冊状部材の先端側に形成された折曲可能片であることを特徴とする請求項２記載の折り畳み皿。
【請求項６】
前記被覆部材は、ラッピングフィルムであることを特徴とする請求項１、２、３、４又は５記載の折り畳み皿。
【手続補正２】
【補正対象書類名】明細書
【補正対象項目名】０００６
【補正方法】変更
【補正の内容】
【０００６】  本発明に係る折り畳み皿は、３つ以上の短冊状部材と、この短冊状部材の基端側を回転可能に連結する連結具と、この連結具を中心として隙間を空けた状態で放射状に展開した短冊状部材に被せられる被覆部材と、前記短冊状部材の先端側を連結するワイヤーとを具備しており、前記ワイヤーは、放射状に展開した短冊状部材の間隔を等しくすべく短冊状部材の間の長さが等しく設定されている。
【手続補正３】
【補正対象書類名】明細書
【補正対象項目名】００１２
【補正方法】変更
【補正の内容】
【００１２】  本発明の実施の形態に係る折り畳み皿１０００は、３つ以上の短冊状部材１００と、この短冊状部材１００の基端側１１０を回転可能に連結する連結具２００と、この連結具２００を中心として隙間を空けた状態で放射状に展開した短冊状部材１００に被せられる被覆部材としてのラッピングフィルム３００と、前記短冊状部材１００の先端側１２０を連結するワイヤー４００とを備えており、前記ワイヤー４００は、放射状に展開した短冊状部材１００の間隔を等しくすべく短冊状部材１００の間の長さが等しく設定されており、放射状に展開された短冊状部材１００の先端側１２０でラッピングフィルム３００を短冊状部材１００に固定する固定手段としてのクリップ５００を有している。
【手続補正４】
【補正対象書類名】明細書
【補正対象項目名】００１９
【補正方法】変更
【補正の内容】
【００１９】  上述した部材から構成される折り畳み皿１０００の使用手順について説明する。
まず、連結具２００を中心として短冊状部材１００を放射状に展開する。この際、各短冊状部材１００は隣接する短冊状部材１００と長さの等しいワイヤー４００で連結されているため、各短冊状部材１００の間隔は等しくなる。また、各短冊状部材１００の間には、図１、図２等に示すように、隙間が形成されることになる。
短冊状部材１００が放射状に展開すると、折り畳み皿１０００の外縁に相当する部分は、短冊状部材１００の先端側１２０及びワイヤー４００となる。
【手続補正５】
【補正対象書類名】明細書
【補正対象項目名】００２０
【補正方法】変更
【補正の内容】
【００２０】  放射状に展開した短冊状部材１００の上にラッピングフィルム３００を上側から被せる。ラッピングフィルム３００は、縁部が各短冊状部材１００の先端側１２０よりも外方になる程度の大きさのものを使用する。１枚のラッピングフィルム３００で全体が覆えない場合には、複数枚のラッピングフィルム３００を使用する。
折り畳み皿１０００の外縁に相当する短冊状部材１００の先端側１２０とワイヤー４００の部分からラッピングフィルム３００を縁部の下側に折り込む。さらに、各短冊状部材１００の先端側１２０でクリップ５００を用いてラッピングフィルム３００をより強固に固定する。
なお、各短冊状部材１００の間の隙間において、ラッピングフィルム３００同士が上下から密着するので、ラッピングフィルム３００はより強固に短冊状部材１００に固定されることになる。
ラッピングフィルム３００によって放射状に展開した短冊状部材１００の間の隙間が覆われることになり、短冊状部材１００とワイヤー４００とラッピングフィルム３００とによって隙間がない皿として機能するようになる。
【手続補正６】
【補正対象書類名】明細書
【補正対象項目名】００２３
【補正方法】変更
【補正の内容】
【００２３】  なお、上述した実施の形態では、固定手段はクリップ５００であるとしたが、クリップ５００のように短冊状部材１００とは別部材ではなく、図６（Ａ）に示すように、短冊状部材１００の先端側１２０に形成された略Ｖ字形状の切込み１２２であってもよい。この切込み１２２にラッピングフィルム３００の縁部を挟み込むことでラッピングフィルム３００を展開した短冊状部材１００に固定するようにするのである。
なお、切込み１２２はＶ字形状ではなく、単に切れ目をいれたものやＵ字形状等の他の形状であってもよいことはいうまでもない。
【手続補正７】
【補正対象書類名】明細書
【補正対象項目名】００２４
【補正方法】変更
【補正の内容】
【００２４】  また、図６（Ｂ）に示すように、短冊状部材１００の先端側１２０をフレキシブルに折曲可能な折曲可能片１２３として形成しておき、この折曲可能片１２３を図６（Ｂ）に示す矢印Ｂ方向に折り込むことでラッピングフィルム３００を展開した短冊状部材１００に固定するようにしてもよい。
なお、図６（Ｂ）においては、ワイヤー４００を連結するための小孔２１１は、折曲された折曲可能片１２３に隠れて見えなくなっている。
なお、図６（Ａ）及び図６（Ｂ）では、ラッピングフィルム３００の記載は省略している。
【手続補正８】
【補正対象書類名】明細書
【補正対象項目名】００２５
【補正方法】変更
【補正の内容】
【００２５】切込み１２２や折曲可能片１２３のように、短冊状部材１００と一体になった固定手段であれば、短冊状部材１００とは別体の固定部材としてのクリップ５００のような別体の構成部品を準備する必要がないというメリットがある。